(57)【要約】【課題】パネルゲートの風のあおりによる転倒を防止するのに好適な治具であり、転倒防止機能を発揮させる場合に簡単に設置することができ、低コストで実現できる転倒防止治具を提供すること。【解決手段】地面側のアンカに固定可能とされパネル側を所定高さで支持可能な支承手段と、前記支承手段のアンカ部を経由して前記支承手段の左右に伸び、パネル側に連結可能とされた固定部を有する索条とを設けた折り畳み可能なパネルゲートの転倒防止治具である。【選択図】図１
2017101424.tif 000002
【特許請求の範囲】
【請求項１】
折り畳み可能なパネルゲートの転倒防止治具であって、
地面側のアンカに固定可能とされパネル側を所定高さで支持可能な支承手段と、
前記支承手段のアンカ部を経由して前記支承手段の左右に伸び、パネル側に連結可能とされた固定部を有する索条と、
を設けたパネルゲートの転倒防止治具。
【請求項２】
前記支承手段はテレスコピック構造とされて長さが調整可能に構成され、
前記索条はロープによって構成されて長さが調整可能とされ、
ていることを特徴とする請求項１に記載のパネルゲートの転倒防止治具。
【請求項３】
折り畳み可能なパネルとその走行を可能にしたキャスターとを有するパネルゲートの転倒防止治具であって、
地面側のアンカに固定可能とされパネル側を所定高さで支持可能な支承手段と、
前記この支承手段の先端部に配置されパネル側に取付けられる押え手段と、
前記支承手段のアンカ側を経由し前記支承手段の両サイドに伸びる索条と、
前記索条とパネル側とを連結する固定具と、
を備えたことを特徴とするパネルゲートの転倒防止治具。
【請求項４】
前記支承手段はテレスコピック構造で長さが調整可能とされていることを特徴とする請求項３に記載のパネルゲートの転倒防止治具。
【請求項５】
前記押え手段はパネルと一体で動く伸縮移動機構に取り付けられていることを特徴とする請求項３に記載のパネルゲートの転倒防止治具。
【請求項６】
前記固定具はパネル材間のＣチャンネルに設置され、上下方向に位置移動可能とされていることを特徴とする請求項３に記載のパネルゲートの転倒防止治具。
【発明の詳細な説明】
【技術分野】
【０００１】
本発明はパネルゲートの転倒防止治具に係り、特にキャスター付きの伸縮扉に蛇腹状のパネルを取付けたゲートの風等による転倒を防止するのに好適な転倒防止治具に関する。
【背景技術】
【０００２】
従来、工事現場などは安全管理の点から周囲を囲う仮囲いが設けられ、これには車両等の出入りのためのゲートが設けられている。この種のゲートにはキャスターにより走行自在とされている伸縮扉に蛇腹状のパネルを取付けたもので、伸縮扉とともに移動するパネルによって出入口としてのゲートを開閉するようにしたものが知られている。
【０００３】
ところで、この種のパネルゲートでは、出入口を閉鎖した時のパネルが正面や背面からの風を受けやすく、しかも開閉をキャスターにて行っているため、走行自由度が大きくなって、転倒しやすいといった問題があった。
【０００４】
従来のゲートの転倒防止機能を持たせた技術には、特許文献１に記載したものが知られている。これはキャスターの両側位置に地面に窪んで設けられたガイドレールを設置し、一方、走行キャスター側にはガイドレールを抱え込む転倒防止キャスターを取付けている。伸縮扉は転倒防止キャスターによる抱え込みによって転倒が阻止されている。
【０００５】
しかしながら、上記従来の転倒防止をするための機構は、通気性のある伸縮扉そのものであり、しかも、走行のためのキャスターに別途にいわばモノレール仕様のような転倒防止用キャスターを取り付け、これによって転倒防止機能を発揮させている。このため伸縮扉にパネルを取り付けたパネルゲートでは、大きな風力を受けた場合に、通気性が確保されていないため、上述のような転倒防止機構を用いても転倒を防止することができないものとなっていた。また、上記のような機構では地面に窪みを付けたり、これに嵌りあう転倒防止用キャスターを設けたりしなければならず、設備投資が大きいという問題もあった。
【先行技術文献】
【特許文献】
【０００６】
【特許文献１】特開２００４−２７０１４１号公報
【発明の概要】
【発明が解決しようとする課題】
【０００７】
本発明は、上記従来の問題点に着目し、パネルゲートの風のあおりによる転倒を防止するのに好適な治具を提供することを目的とする。第２には、転倒防止機能を発揮させる場合に簡単に設置することができ、低コストで実現できる転倒防止治具を提供することを目的とする。
【課題を解決するための手段】
【０００８】
上記目的を達成するために、本発明は、折り畳み可能なパネルゲートの転倒防止治具であって、地面側のアンカに固定可能とされパネル側を所定高さで支持可能な支承手段と、前記支承手段のアンカ部を経由して前記支承手段の左右に伸び、パネル側に連結可能とされた固定部を有する索条と、を設けたことを特徴とする。
【０００９】
前記支承手段はテレスコピック構造とされて長さが調整可能に構成され、前記索条はロープによって構成されて長さが調整可能とされていることを特徴とする。
【００１０】
また、本発明は、折り畳み可能なパネルとその走行を可能にしたキャスターとを有するパネルゲートの転倒防止治具であって、地面側のアンカに固定可能とされ、パネル側を所定高さで支持可能な支承手段と、前記この支承手段の先端部に配置されパネル側に取付けられる押え手段と、前記支承手段のアンカ側を経由し前記支承手段の両サイドに伸びる索条と、前記索条とパネル側とを連結する固定具と、を備えたことを特徴とするパネルゲートの転倒防止治具の構成としてもよい。
【００１１】
この場合、前記支承手段はテレスコピック構造で長さが調整可能とされ、前記押え手段はパネルと一体で動く伸縮移動機構に取り付けられている構成としてもよい。
更に、前記固定具はパネル間のＣチャンネルに設置され、上下方向に位置移動可能とされていればよい。
【発明の効果】
【００１２】
このような本発明によれば、地面側のアンカに固定してパネル側を支持する支承手段によってパネル部を保持し、前記支承手段のアンカ部を経由して当該支承手段の左右に伸び、パネル側に連結可能とされた固定部を有する索条によって、逆二等辺三角形となるように取り付ける。これによって、アンカ部が頂点とされ、パネル部分が３点支持されることになる。中央の支承手段は押え支持となり、左右の索条が引き込み作用を発揮し、パネルゲートは保持された位置にて固定状態とされる。これによってパネルゲートが風を受けて煽られてもパネル面の前後方向には揺れが低減され転倒が有効に防止される。しかも、この転倒防止治具を設置するためにレール溝等の工事をする必要がなく、キャスター部分に特別な加工なども不要となっているため、非常に低コストで転倒防止機能を発揮することができる。
【図面の簡単な説明】
【００１３】
【図１】図１は実施形態に係るパネルゲートの転倒防止治具の斜視図である。
【図２】図２は同平面図である。
【図３】図３はアンカ部に対する支承手段と索条の取付部の分解斜視図である。
【図４】図４は支承手段の先端部に設けられている押え手段のパネル側への取付構造を示す部分斜視図である。
【図５】図５は索条（ロープ）の端部に取り付けられる固定手段の斜視図である。
【発明を実施するための形態】
【００１４】
以下に、本発明に係るパネルゲートの転倒防止治具の実施形態を、図面を参照しながら、詳細に説明する。なお、以下に示す実施形態は、その趣旨を変えない限り、他の態様を含みうるもので、実施形態に限定されない。
【００１５】
図１〜図２はパネルゲートの転倒防止治具の実施形態を示す斜視図と平面図である。
実施形態に係る転倒防止治具が取り付けられるパネルゲート、特にキャスター付きのパネルゲートについて先に説明する。
【００１６】
パネルゲート１０は、矩形に形成された２枚のパネル材１２の縦辺を互いにヒンジ結合し、この２枚のパネル材１２の一組を複数組（パネル組１４）用意し、それらの間にＣチャンネルから構成されている縦支柱１６を配置し、その側面にヒンジ結合させたものである。これにより縦支柱１６同士を互いに横移動させて近接させれば、パネルゲート１０は折り畳み状態となる。
【００１７】
縦支柱１６には移動方向を規制するための伸縮移動機構１８が取り付けられており、これはレイジートング（パンタグラフ）機構によって構成されている。すなわち、同じ長さを持つアーム材２０の一対を互いに中央部が交差するように配置し、交差部に回転軸２２を取付けている。交差されたアーム材２０，２０同士をさらに隣接配置し、隣接されたアーム材２０の端部同士を回転軸２２で止める。必要に応じて隣接するアーム材２０同士の中間部にもアーム材２０を配置し、互いの交差部に回転軸２２を取付ける。この際、回転軸２２同士の間隔は等しく設定する。これにより、伸縮移動機構１８が構成され、これをパンタグラフ動作させることで、全体として伸縮運動するのである。
【００１８】
伸縮方向を横向きにし、伸縮移動機構１８の少なくとも１本のアーム材２０が、隣り合う縦支柱１６にまたがって連結するように配置し、その回転軸２２を対応する縦支柱１６に嵌め込む。嵌め込みのために縦支柱１６はＣチャンネルとなっているが、その溝１６ａに抜け止めをしつつ、溝１６ａに沿って上下摺動可能に嵌め込まれている。そして、縦支柱１６の下端に位置する回転軸２２のみを固定し、上位の回転軸部は上下摺動可能としておく。これにより、縦支柱１６を横移動させることができ、これによって伸縮移動機構１８がパンタグラフ動作されるので、パネルゲート１０が開閉される。移動を簡便に行わせるため、各縦支柱１６の下端部にキャスター２４が取り付けられ、キャスター２４の転動によりパネルゲート１０の開閉が行われる。
【００１９】
このようなパネルゲート１０に対し、実施例に係るその転倒防止治具３０が取り付けられる。転倒防止治具３０は、支承手段３２と索条３４の二つの部品からなる。
【００２０】
支承手段３２は地面側のアンカ３６に固定可能とされ、パネルゲート１０側を所定高さで支持可能とされている。すなわち、パネルゲート１０の片面側に所定距離だけ隔てられた位置に、床面にアンカ３６を設置する。このアンカ３６は地面（鉄板）に据え付けられた穴３８のコーナ部に打ち付けられた後打ちアンカとすればよい。このアンカ３６を起点として、支承手段３２はパネルゲート１０に斜めに立て掛けられるもので、先端部を所定高さに維持している。支承手段３２はテレスコピック構造とされ、その長さを可変としている。長さを調整可能とするため、アンカ３６側に固定される大径断面の基端部３２ａと、これら差し込まれる小径断面の先端部３２ｂには、それぞれピン穴４０が開けられ、ここにピン等の留め具を差し込んで長さを調整可能としている。
【００２１】
また、基端部３２ａ側には、図３に示しているように、アンカ３６に固定的に止めるためにアンカ差し込み片４２が設けられ、アンカ３６を挿入して支承手段３２を支えるようにしている。
【００２２】
更に、支承手段３２の先端部３２ｂには、全体としてＴ字型を構成するように、パネル側に取り付けられる押え手段４４が設けられている。すなわち、先端部３２ｂには、その端部に直行するパイプ（押え手段４４）が取り付けられている。パイプ（押え手段４４）の中央部は支承手段３２の先端部３２ｂに固定され、支承手段３２の伸縮動作とともに動くことができる。また、パイプ（押え手段４４）の両端部はパネル側の伸縮移動機構１８に取り付けられている。これは図４に示されるように、レイジートング（パンタグラフ）機構を構成しているアーム材２０同士の回転軸２２が縦支柱１６に収まっているが、この回転軸２２と同軸とされるホルダ４６によって保持されている。このホルダ４６によって両端部を伸縮移動機構１８に保持されたパイプ（押え手段４４）により、支承手段３２の先端部は一定の高さに維持される。
【００２３】
一方、前記支承手段３２のアンカ差し込み片４２が取り付けられるアンカ３６には、このアンカ３６を経由して前記支承手段３２の左右に伸び、パネルゲート１０側に連結可能とされた固定部４８を有する索条３４が設けられる。この索条３４をアンカ３６側に経由させるため、図３に示すように、アンカ３６に連結されるフック５２を備えた滑車５４が取り付けられている。滑車５４には索条３４が通され、これが支承手段３２の左右に延長される。この索条３４としては、通常、ロープが用いられるが、ワイヤなども利用でき、また、帯状の紐、ポリエステル製の親綱など、縄・綱・紐の類を含む広い概念として用いている。
【００２４】
支承手段３２の左右に延長された索条３４は、その端部をパネルゲート１０側に固定されているが、この固定は伸縮移動機構１８を構成している縦支柱１６を利用している。すなわち、図５に示しているように、Ｃチャンネルから構成される縦支柱１６の溝１６ａに嵌り合う摺動溝５９を有して上下に摺動できるブロック５８と、このブロック５８に捻じ込まれたアイボルト６０とからなる固定部４８を前記索条３４の端部に取り付けている。固定部４８は縦支柱１６の上端開口から装着するだけで、縦支柱１６に取り付けられる。したがって、固定部５６は、伸縮移動機構１８の最上段の回転軸２２の上部に位置することになる。この高さ位置は前記パイプ（押え手段４４）と取付け位置とほぼ同等高さ位置である。そして、固定部４８には、索条３４の先端に取り付けてあるフック５２を係合して取り付けている。また索条３４はロープであることから長さ調整が可能となっており、ロープ結び目を調整することで簡単に調整される。
【００２５】
このように構成された実施形態に係るパネルゲート１０の転倒防止治具によれば、地面側のアンカ３６に固定してパネルゲート１０の伸縮移動機構１８を支持する支承手段３２によってパネルゲート１０側を一定高さで保持する。次に、前記支承手段３２を支持しているアンカ３６に取り付けた滑車５４を経由させて当該支承手段３２の左右に伸び、パネルゲート１０の押え手段４４の両側に連結可能とされた固定部４８を有する索条３４によって、逆二等辺三角形となるように取り付ける。これによって、アンカ部が頂点とされ、パネル部分が３点支持されることになる。中央の支承手段３２は押え支持となり、左右の索条３４が引き込み作用を発揮し、パネルゲート１０は保持された位置にて固定状態とされる。
【００２６】
これによってパネルゲート１０が風を受けて煽られてもパネルゲート１０の前後方向には揺れが低減され転倒が有効に防止される。しかも、この転倒防止治具を設置するためにレール溝等の工事をする必要がなく、キャスター部分に特別な加工なども不要となるので、非常に低コストで転倒防止機能を発揮することができる。
【００２７】
なお、上記実施例ではキャスター２４を伸縮移動機構１８に取り付けた例を示しているが、パネルゲート１０そのものにキャスターを取付ける構造に適用することができる。
【産業上の利用可能性】
【００２８】
本発明はパネルゲートの風による倒壊防止を図る技術分野に適用することができる。
【符号の説明】
【００２９】
１０……パネルゲート、１２……パネル材、１４……パネル組、１６……縦支柱、１６ａ……溝、１８……伸縮移動機構、２０……アーム材、２２……回転軸、２４……キャスター、３０……転倒防止治具、３２……支承手段、３２ａ……基端部、３２ｂ……先端部、３４……索条、３６……アンカ、３８……穴、４０……ピン穴、４２……アンカ差し込み片、４４……押え手段、４６……ホルダ、４８……固定部、５２……フック、５４……滑車、５６……固定部、５８……ブロック、５９……摺動溝、６０……アイボルト。
【図１】
2017101424.tif 000003
【図２】
2017101424.tif 000004
【図３】
2017101424.tif 000005
【図４】
2017101424.tif 000006
【図５】
2017101424.tif 000007